(57)【特許請求の範囲】
【請求項１】
耐熱性合成樹脂材料による圧出用シリンダー本体とこれに挿入するピストンからなるシリンジと、該シリンジのシリンダー本体を覆うケース状に形成した熱伝導性の良い金属製スタンドとからなり、金属製スタンドは、錘の役目を果たし、金属製スタンドの重心を下げて、縦長の金属製スタンドが直立状態で安定できるようにする台部と、シリンダー本体を収容するケース状である円筒部材とからなり、台部は、前記シリンダー本体の先端であるキャップ体や先端蓋体の部分を挿入する凹部を上面開口として形成し、円筒部材は、外径が前記凹部の内径に等しい円筒状に形成し、円筒部材の下端を台部の凹部に圧入し、また、円筒部材は上部外周面に熱硬化性樹脂による断熱部分を設け、スタンドをホットプレートに立てて移動可能に載置することを特徴とする歯科臨床・技工作業器具。
【請求項２】
耐熱性合成樹脂材料による圧出用シリンダー本体とこれに挿入するピストンからなるシリンジの該圧出用シリンダー本体に円柱状に成形した熱可塑性の歯科材料を充填し、耐熱性合成樹脂材料による圧出用シリンダー本体とこれに挿入するピストンからなるシリンジと、該シリンジのシリンダー本体を覆うケース状に形成した熱伝導性の良い金属製スタンドとからなり、金属製スタンドは、錘の役目を果たし、金属製スタンドの重心を下げて、縦長の金属製スタンドが直立状態で安定できるようにする台部と、シリンダー本体を収容するケース状である円筒部材とからなり、台部は、前記シリンダー本体の先端であるキャップ体や先端蓋体の部分を挿入する凹部を上面開口として形成し、円筒部材は、外径が前記凹部の内径に等しい円筒状に形成し、円筒部材の下端を台部の凹部に圧入し、また、円筒部材は上部外周面に熱硬化性樹脂による断熱部分を設け、スタンドをホットプレートに立てて移動可能に載置する金属製スタンドにシリンジを納めて歯科材料を柔らかくしてシリンジから直接模型に圧出・盛り付けを行うことを特徴とする歯科臨床・技工方法。
【発明の詳細な説明】
【技術分野】
【０００１】
本発明は、歯科臨床及び技工分野における寒天印象材、パラフィンワックス等の歯科材料の使用時の歯科の歯科臨床・技工作業器具および歯科臨床・技工方法に関するものである。
【背景技術】
【０００２】
歯科の臨床・技工作業で、歯科材料に適切な温度を加えて、物理的な変化を起こさせて、時によっては型をとり、時によっては形を整えるなどの事例は極めて多い。
【０００３】
例えば、パラフィンワックス等の熱可塑性の歯科材料をシリンジにより効率的に使うことができ、また、それらを微細な温度調節を簡単に行うことができる歯科の臨床・技工作業装置について、発明者らは以下の特許を取得している。
【特許文献１】特開２０００−２６２５４４号公報（特許第３０１３０８７号）
【０００４】
図４は従来の歯科臨床・技工作業装置の１実施形態を示す側面図で、シリンジ６と、金属製スタンド７と、加熱装置８とからなる。
【０００５】
図５に示すように、シリンジ６は圧出用シリンダー本体９とこれに挿入するピストン１０からなり、シリンダー本体９は、熱伝導性の良い金属としての純銅で形成した内管１１の外周に隙間１２を存して断熱性外管１３を配設し、この断熱性外管１３から出る内管１１の端部のうち、先端部にノズル状の注出口を有する純銅製の先端蓋体１４を嵌め、根元端には指掛け用のフランジ部１５ｂを外向きに一体に突設した指掛け輪体１５を嵌めた。なお、１０ａはピストンの柄である。
【０００６】
前記先端蓋体１４には、注出口を収容するキャップ体１７を嵌める。このキャップ体１７も熱伝導性の良い金属としての純銅で形成する。また、金属製スタンド７も熱伝導性の良い金属としての純銅で形成し、前記シリンダー本体９の先端であるキャップ体１７や先端蓋体１４の部分を挿入する凹部７ａを上面開口として形成した。
【０００７】
加熱装置８は図４に示すように、通電制御機構、タイマー等を内蔵させた本体の上に熱伝導性の良い金属として純銅または純アルミニウムで形成した矩形の金属製ホットプレート１８を設け、該金属製ホットプレート１８の裏面に部分的にヒーター１９を付設した。また、金属製ホットプレート１８の裏面に前記ヒーター１９から少し離してサーミスタ等による温度センサー２０を付設する。なお、２１は電源コード、２２は温度調整摘まみである。
【０００８】
次に使用法について説明する。金属製スタンド７はこれを加熱装置８の金属製ホットプレート１８の面上にシリンジ６を立設状態で保持したまま移動可能に載置するものである。
【０００９】
その際、シリンジ６はシリンダー本体９内に、歯科材料である寒天またはパラフィンワックス等を充填し、先端にはキャップ体１７を嵌めてある。
【００１０】
このようにして、ヒーター１９を発熱させて金属製ホットプレート１８を加熱し、該金属製ホットプレート１８からの熱を金属製スタンド７およびキャップ体１７、先端蓋体１４を介してシリンダー本体９の内管１１に伝達させ、内管１１を加熱することでシリンダー本体９の歯科材料を加熱する。その際、いずれも熱伝導性の良い金属で形成してあるので、効率的な加温となる。
【００１１】
パラフィンワックス等をシリンダー本体９内に充填する場合は、円柱状に成型したものをシリンダー本体９内に充填するが、得ようとする温度は約６０度でよいので、初めから金属製ホットプレート１８の面上でヒーター１９の直上から離れた箇所に金属製スタンド７を設置する。
【発明の開示】
【発明が解決しようとする課題】
【００１２】
しかし、シリンジを素早く温めるとともに使用時に冷め難くするため、シリンダー本体を熱伝導性の良い金属製の内管と断熱性外管との２重構造とすると、シリンジの構造が複雑となり重量が増して、シリンジの操作性が低下してしまう。
【００１３】
また、シリンダー本体を２重構造とすると、内管と外管との隙間に溶けた歯科材料が入ってしまった場合、それを取り出すことは容易ではなく、手入れが困難である。しかし、シリンダー本体を熱伝導性の良い金属のみで構成すると、シリンダーの使用中に内部の歯科材料がすぐに冷めて固まってしまう。
【００１４】
よって、シリンジ使用時の保温性を確保しつつ、軽量で操作性の良い歯科臨床・技工作業器具が望まれる。
【００１５】
また、金属製スタンド上にシリンジを立ててセットする際、先端蓋体の注出口のみによってシリンジを支えることになるため、ホットプレート上においてより安定した状態でシリンジを温めることができる方法が望まれる。
【００１６】
また、シリンジに充填する歯科材料の一つであるパラフィンワックスは板状や塊状で市販されるのが一般的であり、従来はこれらをちぎったり溶融してから、直接、歯科模型に盛り付けせねばならず、面倒な作業になっていた。
【００１７】
よって、板状や塊状または使い残しの歯科材料であっても、シリンジに効率よく容易に充填できるようにすることが望まれる。
【００１８】
本発明の目的は前記従来例の不都合を解消し、シリンジ使用時の保温性を確保でき、簡単な構成により軽量で操作性の良い歯科臨床・技工作業器具、及び、従来よりも安定した状態でシリンジを温めることが出来る歯科臨床・技工方法を提供することにある。
【課題を解決するための手段】
【００１９】
本発明は前記目的を達成するため、請求項１記載の発明は、耐熱性合成樹脂材料による圧出用シリンダー本体とこれに挿入するピストンからなるシリンジと、該シリンジのシリンダー本体を覆うケース状に形成した熱伝導性の良い金属製スタンドとからなり、金属製スタンドは、錘の役目を果たし、金属製スタンドの重心を下げて、縦長の金属製スタンドが直立状態で安定できるようにする台部と、シリンダー本体を収容するケース状である円筒部材とからなり、台部は、前記シリンダー本体の先端であるキャップ体や先端蓋体の部分を挿入する凹部を上面開口として形成し、円筒部材は、外径が前記凹部の内径に等しい円筒状に形成し、円筒部材の下端を台部の凹部に圧入し、また、円筒部材は上部外周面に熱硬化性樹脂による断熱部分を設け、スタンドをホットプレートに立てて移動可能に載置することを要旨とするものである。
【００２０】
請求項１記載の本発明によれば、シリンダー本体は断熱性の高い合成樹脂材料からなるが、スタンドを熱伝導性の良い金属で形成するとともにケース状にしたから、シリンダー本体の全体を均一に温めることが出来る。すなわち、熱伝導性の良い金属からなるスタンドはホットプレートからの熱により素早く温まるとともに、シリンダー本体を覆ってシリンダー本体を全体から温めることができる。そしてシリンダー本体は耐熱性合成樹脂材料のみで形成するため、構造が簡単で軽量であり、且つ、保温性が良い。
【００２１】
また、スタンドをホットプレート上で移動させる際、断熱部分を把持すれば、ホットプレートの熱が直接使用者に伝わることが無く、安全である。
【００２２】
請求項２記載の発明は、耐熱性合成樹脂材料による圧出用シリンダー本体とこれに挿入するピストンからなるシリンジの該圧出用シリンダー本体に円柱状に成形した熱可塑性の歯科材料を充填し、耐熱性合成樹脂材料による圧出用シリンダー本体とこれに挿入するピストンからなるシリンジと、該シリンジのシリンダー本体を覆うケース状に形成した熱伝導性の良い金属製スタンドとからなり、金属製スタンドは、錘の役目を果たし、金属製スタンドの重心を下げて、縦長の金属製スタンドが直立状態で安定できるようにする台部と、シリンダー本体を収容するケース状である円筒部材とからなり、台部は、前記シリンダー本体の先端であるキャップ体や先端蓋体の部分を挿入する凹部を上面開口として形成し、円筒部材は、外径が前記凹部の内径に等しい円筒状に形成し、円筒部材の下端を台部の凹部に圧入し、また、円筒部材は上部外周面に熱硬化性樹脂による断熱部分を設け、スタンドをホットプレートに立てて移動可能に載置する金属製スタンドにシリンジを納めて歯科材料を柔らかくしてシリンジから直接模型に圧出・盛り付けを行うことを要旨とするものである。
【００２３】
請求項２記載の本発明によれば、ホットプレートに立てて載置した金属製スタンドにシリンジを納めるようにしてセットするから、ホットプレート上においてより安定した状態でシリンジを温めることができる。また、板状や塊状で市販されるパラフィンワックス等の熱可塑性の歯科材料を柔らかくして手で細かくちぎって模型等に貼り付けてから、熱したスパチュラで溶着していたのを、シリンジを介して直接に圧出・盛り付けを行うことができ、必要量を的確に、かつ、簡単に充填することができる。
【発明の効果】
【００２４】
本発明の歯科臨床・技工作業器具は、シリンジ使用時の保温性を確保でき、簡単な構成により軽量で操作性が良い。また、本発明の歯科臨床・技工方法は、従来よりも安定した状態でシリンジを温めることが出来る。
【発明を実施するための最良の形態】
【００２５】
以下、図面について本発明の実施形態を詳細に説明する。図１は本発明の歯科臨床・技工作業器具の１実施形態を示す側面図である。本発明の歯科臨床・技工作業器具も従来と同様に、シリンジ６と、金属製スタンド７とからなり、歯科材料を温める際は加熱装置としてのホットプレートを使用する。
【００２６】
図１に示すように、シリンジ６は圧出用シリンダー本体９とこれに挿入するピストン１０からなり、シリンダー本体９は、断熱性を有する耐熱性合成樹脂材料として例えば熱硬化性樹脂であるポリサルフォンで形成した胴部４０の先端部に、ノズル状の注出口１４ａを有するポリサルフォン製の先端蓋体１４を螺合により嵌め、根元端部には指掛け用のフランジ部１５ｂを外向きに一体に突設する。
【００２７】
シリンダー本体９の胴部４０は一例として、長さ８２mm、内径１３mm、外径１９．５mmの円筒状であり、胴部４０と先端蓋体１４との間には気密性を高めるためにパッキン１４ｂを配置する。そして前記先端蓋体１４には注出口１４ａを収容するキャップ体１７を嵌める。このキャップ体１７もポリサルフォンで形成し、注出口１４ａを収容する凹部１７ａの内周と前記注出口１４ａの外周とには互いに螺合するネジが切ってあり、キャップ体１７が先端蓋体１４に螺合状態で嵌着する。また、凹部１７ａの底面には気密性を高めるために内側底面にパッキン１７ｂを配置する。
【００２８】
ピストン１０はナイロン等の合成樹脂で成形し、端部に柄１０ａを形成している。なお、１０ｂは気密性を高めるためのＯリングで、ピストン１０の先端部の周方向の溝に嵌着した。
【００２９】
金属製スタンド７は、台部２７と円筒部材２６とからなり、いずれも熱伝導性の良い金属として、アルマイト処理をしたアルミニウムで形成する。台部２７は、前記シリンダー本体９の先端であるキャップ体１７や先端蓋体１４の部分を挿入する凹部２７ａを上面開口として形成する。一方、円筒部材２６は、外径が凹部２７ａの内径に等しい２５mmの円筒状に形成し、円筒部材２６の下端を台部２７の凹部２７ａに圧入して金属製スタンド７を形成する。また、円筒部材２６は上部外周面に熱硬化性樹脂による断熱部分２８を設ける。
【００３０】
ここで、円筒部材２６の厚みが２mmであるのに対し、台部２７の厚みは７．５mmとより厚く形成することにより、金属製スタンド７において台部２７が錘の役目を果たし、金属製スタンド７の重心を下げて、縦長の金属製スタンド７が直立状態で安定できるようにする。
【００３１】
なお、本実施形態では凹部２７ａは底面７ｂを有するものとして水密な凹部としたが、他の実施形態として上下に貫通するようにすることもできる。
【００３２】
加熱装置８は図４に示すように、通電制御機構、タイマー等を内蔵させた本体の上に熱伝導性の良い金属として純銅または純アルミニウムで形成した矩形の金属製ホットプレート１８を設け、該金属製ホットプレート１８の裏面に部分的にヒーター１９を付設した。また、金属製ホットプレート１８の裏面に前記ヒーター１９から少し離してサーミスタ等による温度センサー２０を付設する。なお、２１は電源コード、２２は温度調整摘まみである。
【００３３】
次に、このような歯科臨床・技工作業器具としてのシリンジ６のシリンダー本体９に充填するのに適するよう歯科材料を整形する歯科材料用型としての、本発明の歯科材料用型について説明する。
【００３４】
本発明の歯科材料用型の１実施形態を示す全体斜視図である図２に示すように、歯科材料用型は円柱状の柱状部材３０と、柱状部材３０の底面より僅かに面積の広いシート部材３５とからなり、両部材とも弾性材料である剥離度の高い柔軟性シリコーンゴムにより形成する。
【００３５】
柱状部材３０は底面から上面３３までの高さが、シリンジ６のシリンダー本体９の胴部４０の長さよりも短い６２mmであり、上面３３から底面にかけて貫通して開口する歯科材料の流入空間３１、３２を複数設ける。また、上面３３よりも２mm上方に突出する縁３４を、上面３３の周囲に設ける。
【００３６】
歯科材料の流入空間３１は円柱状であり、その直径はシリンジ６のシリンダー本体９の胴部４０の内径に等しい１３mmである。なお、３２は同じく歯科材料の流入空間であるが、その直径は８mmであり、内径８mmのシリンジに使用する歯科材料を整形するのに好適である。
【００３７】
次に、これらの歯科材料用型を使用して歯科材料の使用前準備を行う方法、及び歯科臨床・技工作業器具の使用方法について説明する。
【００３８】
まず、板状又は使い残しの塊状のパラフィンワックス等を薬缶に入れてコンロ又はホットプレートで温め、完全に溶融させる。次に、図３に示すように、薬缶３６からパラフィンワックス等３７を歯科材料の流入空間３１、３２に流し入れる。歯科材料用型の柱状部材３０の底面にはシート部材３５を敷いているため、溶融したパラフィンワックス等３７により机などの作業場３８が傷んでしまうことがない。また、柱状部材３０とシート部材３５はいずれも弾性材料であるシリコーンゴムにより形成されているため、柱状部材３０の底面はシート部材３５により密着して覆われ、パラフィンワックス等３７が下から漏れてしまうこともない。
【００３９】
また、柱状部材３０の上面３３の外周には縁３４が存在するため、パラフィンワックス等３７が歯科材料の流入空間３１、３２から溢れても縁３４によりせき止められ、更に上面３３から溢れて作業場３８を汚してしまうことがない。
【００４０】
パラフィンワックス等３７が冷え固まったら柱状部材３０をシート部材３５から外し、底面側からパラフィンワックス等３７を押出す。なお、上面３３上にはみ出したパラフィンワックス等３７は、ナイフなどで削り取る。歯科材料の流入空間３１、３２は複数存在するので、一度にまとめて複数本のパラフィンワックス柱を成形することができ、効率が良い。
【００４１】
そして固まったパラフィンワックス等３７を、シリンジ６に充填する。パラフィンワックス等３７は歯科材料の流入空間３１、３２の形状に沿って、シリンジ６のシリンダー本体９の胴部４０内と同じ円柱状に成形されるため、シリンジ６に隙間なく充填することが出来、効率が良い。
【００４２】
次に、注出口１４ａ先端にキャップ体１７を嵌め、注出口１４ａ側を下にしてシリンジ６を金属製スタンド７に挿入する。そして従来と同様に、部分的にヒーターを配設した金属製のホットプレート上に金属製スタンド７を載置して、ヒーターからの距離によって温度調節しながら金属製スタンド７を温める。金属製スタンド７はこれをホットプレート１８の面上にシリンジ６を立設状態で保持したまま移動可能に載置するものであり、熱伝導性の良いアルミニウム製であるため素早く温まる。また、金属製スタンド７は円筒部材２６内にシリンダー本体９を収容するケース状であるため、金属製スタンド７によってシリンダー本体９全体が覆われ、ホットプレートの熱が効率よくシリンジ６に伝わる。
【００４３】
金属製スタンド７は重心の位置が低いため、シリンジ６を挿入してもホットプレート上で安定して保持することが出来る。また、金属製スタンド７は円筒部材２６によりシリンジ６を収容するケース状となっているため、従来のようにシリンジ６をその先端部のみで支える場合に比べて安定性に優れる。
【００４４】
なお、ホットプレートが鉄製である場合には、金属製スタンド７の底面にマグネットを取り付けることにより、または、台部２７を磁石とすることにより効果的に金属製スタンド７の転倒を防止することが出来る。また、前記実施形態では熱伝導性の良い金属としてのアルミニウムの例を説明したが、これを純銅等他の熱伝導性の良い金属に変えることも可能である。
【００４５】
また、ホットプレートのヒーター１９は温度調整摘まみ２２により温度調整可能であるが、金属製ホットプレート１８の面上の温度はヒーター１９からの距離で異なるので、金属製ホットプレート１８の面上でヒーター１９の直上部分とヒーター１９の直上から離れた箇所との相違で得る温度を異ならせることができる。
【００４６】
夜間等しばらく使用しない場合の保温は、加熱装置８の金属製ホットプレート１８の上方を合成樹脂製等のカバー２５で覆うようにして、無駄な熱の放散を防ぐようにしてもよい。
【００４７】
シリンジ６が充分に温まり、シリンジ６内のパラフィンワックス等３７が柔らかくなったらシリンジ６を金属性スタンド７より取り出し、キャップ体１７を外してピストン１０を押圧して注出口１４ａよりパラフィンワックス等３７を圧出する。
【００４８】
例えば、図６に示すように、歯科模型４１の作成において、歯肉部４１ａをパラフィンワックス等３７で成形するのに、シリンジ６からパラフィンワックス等３７を圧出・盛り付けて行うことができる。
【００４９】
このとき、シリンダー本体９は断熱性材料であるポリサルフォンにより形成されていることから、内部のパラフィンワックス等３７が冷めにくく、使用中に容易に固まってしまうのを防止することが出来る。また、シリンジ６は単層構造の樹脂製であるため、軽量で操作性が良い。
【図面の簡単な説明】
【００５０】
【図１】本発明の歯科臨床・技工作業器具の１実施形態を示す一部切欠いた正面図である。
【図２】歯科材料用型の１実施形態を示す全体斜視図である。
【図３】歯科材料の使用前準備方法の１実施形態を示す説明図である。
【図４】従来の歯科臨床・技工作業装置の１実施形態を示す側面図である。
【図５】従来の歯科臨床・技工作業装置の１実施形態を示すシリンジと金属製スタンドの一部切欠いた正面図である。
【図６】本発明の歯科臨床・技工方法の１実施形態を示す説明図である。
【符号の説明】
【００５１】
６  シリンジ                    ７  金属製スタンド
７ａ  凹部                      ７ｂ  底面
８  加熱装置                    ９  シリンダー本体
１０  ピストン                  １０ａ  柄
１０ｂ  Ｏリング                １１  内管
１２  隙間                      １３  断熱性外管
１４  先端蓋体                  １４ａ  注出口
１４ｂ  パッキン                １５  指掛け輪体
１５ｂ  フランジ部              １７  キャップ体
１７ａ  凹部                    １７ｂ  パッキン
１８  金属製ホットプレート      １９  ヒーター
２０  温度センサー              ２１  電源コード
２２  温度調整摘まみ            ２６  円筒部材
２７  台部                      ２７ａ  凹部
２８  断熱部分                  ３０  柱状部材
３１、３２  歯科材料の流入空間
３３  上面                      ３４  縁
３５  シート部材                ３６  薬缶
３７  パラフィンワックス等      ３８  作業場
４０  胴部
４１  歯科模型                  ４１ａ  歯肉部
【図１】
0003972041.tif 000002
【図２】
0003972041.tif 000003
【図３】
0003972041.tif 000004
【図４】
0003972041.tif 000005
【図５】
0003972041.tif 000006
【図６】
0003972041.tif 000007